(57)【要約】【課題】クリップによってウエブを把持する場合に、ウエブに傷が付かないようにするテンター装置を提供する。【解決手段】クリップ１０によってウエブＷを把持するテンター装置１００において、クリップ１０の操作レバー３４を操作する操作装置１１２は、前後方向に沿って設けられた外側案内板１２０と、前後方向に沿って設けられた内側案内板１１８と、外側案内板１２０と内側案内板１１８との間に形成された案内路１２２とを有し、操作レバー３４が案内路１２２を移動することにより回転し、クリップ１０がウエブＷを把持する。【選択図】      図８
2015147370.tif 000002
【特許請求の範囲】
【請求項１】
ウエブを前後方向に走行させるために、前記ウエブの搬送路の左右両側にそれぞれ配された左右一対の無端状のテンターチェーンと、
前記テンターチェーンに所定間隔毎に取り付けられ、下把持部と、前記下把持部に対し回転自在に配された上把持部と、前記上把持部を回転させる操作レバーとを有したクリップと、
前記ウエブの搬入口の左右両側にそれぞれ設けられた前記操作レバーを操作するための操作装置と、
を有したテンター装置において、
前記操作装置は、
前後方向に沿って設けられた外側案内板と、
前後方向に沿って設けられた内側案内板と、
前記外側案内板と前記内側案内板との間に形成された案内路と、
を有し、
前記操作レバーが前記案内路内を移動することにより回転し、前記上把持部と前記下把持部によって前記ウエブを把持する、
テンター装置。
【請求項２】
前記操作レバーは、前記クリップの前後方向に回転軸を有し、前記ウエブを把持しないときは傾斜状態であり、前記ウエブを把持するときは前記傾斜状態から直立状態に回転する、
請求項１に記載のテンター装置。
【請求項３】
前記案内路の平面形状は、前記操作レバーが走行しながら前記傾斜状態から前記直立状態に移動する軌跡に合わせて形成されている、
請求項２に記載のテンター装置。
【請求項４】
前記案内路の内側壁は、前記操作レバーが走行しながら前記傾斜状態から前記直立状態に回転する軌跡に合わせて傾斜している、
請求項２に記載のテンター装置。
【請求項５】
前記案内路の外側壁は、前記操作レバーが走行しながら前記傾斜状態から前記直立状態に回転する軌跡に合わせて傾斜している、
請求項２に記載のテンター装置。
【請求項６】
前記外側案内板が、前記内側案内板より高い位置に固定されている、
請求項２に記載のテンター装置。
【請求項７】
前記案内路の幅は、前記操作レバーが前記直立状態の左右方向の幅より大きい、
請求項２に記載のテンター装置。
【請求項８】
前記外側案内板と前記内側案内板は水平に固定されている、
請求項１に記載のテンター装置。
【発明の詳細な説明】
【技術分野】
【０００１】
本発明は、フィルム、布帛、紙などのウエブをクリップで把持して移動させるテンター装置に関するものである。
【背景技術】
【０００２】
従来より、ウエブの両耳部を支持する複数のクリップと、クリップを連結するテンターチェーンと、テンターチェーンで連結されたクリップを走行させるテンターレールとを備え、テンターレール上をテンターチェーンが走行することによって、クリップに把持されたウエブを走行させるテンター装置が提案されている（例えば、特許文献１、２参照）。
【先行技術文献】
【特許文献】
【０００３】
【特許文献１】特開平５−３１９６４８号公報
【特許文献２】特開２０１０−２４７３９３号公報
【発明の概要】
【発明が解決しようとする課題】
【０００４】
上記のようなクリップを用いたテンター装置において、ウエブはクリップの上把持部と下把持部によって把持する。しかし、最近、熱処理を行う光学フィルムなどのフィルムは、クリップで把持するときに、そのクリップによってフィルムが傷つく場合がある。通常、クリップが把持するウエブの両耳部は傷が付いても不要な部分として切り取られるが、フィルムを熱処理しているときにこの傷が広がり、フィルムが破れたり、傷による張力が変化して、不良品となるという問題点があった。
【０００５】
そこで本発明は上記問題点に鑑み、クリップによってウエブを把持する場合に、ウエブに傷が付かないようにするテンター装置を提供することを目的とする。
【課題を解決するための手段】
【０００６】
本発明は、ウエブを前後方向に走行させるために、前記ウエブの搬送路の左右両側にそれぞれ配された左右一対の無端状のテンターチェーンと、前記テンターチェーンに所定間隔毎に取り付けられ、下把持部と、前記下把持部に対し回転自在に配された上把持部と、前記上把持部を回転させる操作レバーとを有したクリップと、前記ウエブの搬入口の左右両側にそれぞれ設けられた前記操作レバーを操作するための操作装置と、を有したテンター装置において、前記操作装置は、前後方向に沿って設けられた外側案内板と、前後方向に沿って設けられた内側案内板と、前記外側案内板と前記内側案内板との間に形成された案内路と、を有し、前記操作レバーが前記案内路内を移動することにより回転し、前記上把持部と前記下把持部によって前記ウエブを把持する、テンター装置である。
【発明の効果】
【０００７】
本発明のテンター装置によれば、クリップの操作レバーが案内路を移動することにより操作されて回転し、上把持部と下把持部によってウエブをゆっくりと把持するため、ウエブに傷つかない。
【図面の簡単な説明】
【０００８】
【図１】本発明の一実施形態のクリップの斜視図である。
【図２】把持状態のクリップの側面図である。
【図３】離間状態のクリップの側面図である。
【図４】クリップの正面図である。
【図５】クリップの平面図である。
【図６】クリップのリンク機構を示す図である。
【図７】テンター装置の平面図である。
【図８】テンター装置の左側の搬入口側の拡大平面図である。
【図９】搬入口側から見た操作装置の側面図である。
【図１０】搬出口側から見た操作装置とクリップの側面図である。
【図１１】左側の操作装置の拡大平面図である。
【図１２】変更例の操作装置の平面図である。
【発明を実施するための形態】
【０００９】
以下、本発明の一実施形態を示すテンター装置１００について図１〜図１１に基づいて説明する。
【００１０】
（１）テンター装置１００の構成
まず、テンター装置１００の構成について図７に基づいて説明する。本実施形態のテンター装置１００は、クリップテンター装置である。
【００１１】
テンター装置１００は、左右一対の無端状のテンターチェーン１０６が、それぞれ搬入口側の他動ホイール１０２、搬出口側の駆動ホイール１０４に掛け渡されている。各テンターチェーン１０６には、所定間隔毎にクリップ１０が取り付けられている。クリップ１０が取り付けられた左右一対のテンターチェーン１０６は、左右一対のテンターレール１０８の上を走行し、左右一対の他動ホイール１０２は搬入口側にあるテンター台１１４に設けられ、左右一対の駆動ホイール１０４，１０４は搬出口側にあるテンター台１１５に設けられている。なお、テンターレール１０８は、ウエブＷを熱処理するための熱処理室１１０内部を通過する。
【００１２】
テンター装置１００は、左右一対のテンターチェーン１０６に取り付けられた複数のクリップ１０によってウエブＷ（例えば、フィルム、布帛、紙などである）を幅方向に対し一定の張力で把持し、熱処理室１１０内部を一定の搬送速度で通過させて、ウエブＷを熱処理する。また、ウエブＷの搬入口の左右両側には、クリップ１０の操作レバー３４を操作するための操作装置１１２，１１２がそれぞれ設けられている。
【００１３】
（２）クリップ１０の構造
次に、クリップ１０の構造について図１〜図５に基づいて説明する。
【００１４】
クリップ１０は金属製であって、クリップ本体１２、回転部１４、上把持部１６、左右一対のリンク部１８，１８、付勢部２０とより構成されている。
【００１５】
クリップ本体１２は、板状の基台２２、基台２２の前部に沿って設けられた下把持部２４、基台２２の後端部から立設された左右一対の支持脚部２６，２６、左右一対の支持脚部２６，２６から前方にそれぞれ突設された左右一対の支持腕部２８，２８より構成されている。クリップ本体１２は、図２及び図３に示すように、側部から見た場合に基台２２、支持脚部２６及び支持腕部２８によってコの字状に構成されている。
【００１６】
下把持部２４の上面は平らであって、この上面がウエブＷを把持する下把持面である。
【００１７】
左右一対の支持腕部２８，２８の間には、回転部１４が、水平な第１軸部３０を介して回転自在に取り付けられている。回転部１４の下面中央部からは、揺動部３２が下方に突出している。回転部１４の上面中央部からは、操作レバー３４が上方に突出している。回転部１４の後面からは左右一対の軸受部３６，３６が突出している。回転部１４、揺動部３２、操作レバー３４及び軸受部３６，３６は一体に成形されている。
【００１８】
回転部１４の揺動部３２の下端には、第２軸部３８が水平に取り付けられ、この第２軸部３８を介して回転自在に上把持部１６が取り付けられている。
【００１９】
上把持部１６は、下把持部２４と当接してウエブＷを把持するための上把持本体４０と、この上把持本体４０の上面から上方に突出した左右一対の二軸受部４２，４２から構成されている。二軸受部４２の前部には、前記した第２軸部３８が回転自在に取り付けられている。上把持本体４０の下面が上把持面である。
【００２０】
支持腕部２８における、前記第１軸部３０よりも後方の位置に、第３軸部４４が水平に設けられている。上把持部１６の二軸受部４２における、第２軸部３８よりも後方の位置に、第４軸部４６が水平に設けられている。第３軸部４４と第４軸部４６との間には、板状のリンク部１８が取り付けられている。
【００２１】
左右一対の支持腕部２８，２８の間であって、回転部１４よりも後方の位置には、付勢部２０が取り付けられている。この付勢部２０は、円筒状の筒体５０と、筒体５０の内部に挿入されているコイル状の圧縮バネ５２とを有し、筒体５０の前端部には第５軸部５４が、回転部１４の軸受部３６，３６によって回転自在に水平に取り付けられている。筒体５０の後部には、後端部が開口した左右一対の切欠き５６，５６が設けられ、これら切欠き５６に沿って移動自在に第６軸部５８が水平に配されている。この第６軸部５８の左右両端部は、左右一対の支持腕部２８，２８に取り付けられている。コイル状の圧縮バネ５２は、筒体５０内部において、第５軸部５４と第６軸部５８との間に配され、第５軸部５４と第６軸部５８とが離れるように付勢している。
【００２２】
（３）クリップ１０の動作状態
次に、クリップ１０の動作状態について図２、図３及び図６に基づいて説明する。
【００２３】
図２は上把持部１６と下把持部２４がウエブＷを把持した状態を示し、図３は上把持部１６と下把持部２４がウエブＷを開放した状態を示し、図６は、クリップ１０が上把持部１６と下把持部２４とがウエブＷを把持した状態の簡略化した状態を示している。
【００２４】
なお、以下の説明で、第１軸部３０の中心を第１支点Ｓ１、第２軸部３８の中心を第２支点Ｓ２、第３軸部４４の中心を第３支点Ｓ３、第４軸部４６の中心を第４支点Ｓ４と記載する。また、図中の「ＰＥ」は上把持部１６の後端部に位置する把持力点を示し、「ＰＳ」は上把持部１６の前端部である係止点を示している。さらに、図３において、回転部１４の回転に伴う上把持部１６の把持力点ＰＥの移動の軌跡も併せて記載している。
【００２５】
支持腕部２８、回転部１４、上把持部１６、リンク部１８は、４節のリンクを構成しているので、操作レバー３４が操作され回転部１４が回転すると、リンク部１８が、上把持部１６を第２支点Ｓ２の回りに回転させる。上把持部１６は、把持力点ＰＥの軌跡が示すように、ほぼ垂直に下把持部２４に対し把持又は離間する。
【００２６】
図６に示すように、ウエブＷの把持状態においては、第２支点Ｓ２は、第１支点Ｓ１と把持力点ＰＥを結ぶ直線よりも僅かに前方に位置している。また、第４支点Ｓ４は、第３支点Ｓ３と係止点ＰＳとを結ぶ直線より僅かに後方に位置している。この状態において、ウエブＷに水平方向の張力Ｆが作用して、上把持部１６を第４支点Ｓ４の当接面を水平方向の内側に引っ張り、上把持部１６が回転して、回転部１４を水平方向の外側に回転させるように作用したとする。支持腕部２８、回転部１４、上把持部１６及びリンク部１８は、前記したように４節のリンクを構成しているので、回転部１４を水平方向の外側に回転するには、上把持部１６を第２支点Ｓ２を中心に水平方向の外側に回転させる必要がある。しかし、第２支点Ｓ２が、第１支点Ｓ１と把持力点ＰＥとを結ぶ直線よりも水平方向の前方に位置しているため、上把持部１６を水平方向の外側に回転させるためには、一旦、角度θ１を大きくして、把持力点ＰＥを第１支点Ｓ１から遠ざけることになる。すなわち、ウエブＷの張力Ｆによって把持力点ＰＥが下把持部２４に押圧され、上把持部１６の回転を防止しながら、上把持部１６と下把持部２４とのウエブＷに対する摩擦力を増大させ、ウエブＷより強く把持できる。
【００２７】
また、把持力点ＰＥが下把持部２４から受ける反力は、回転部１４の揺動部３２を水平方向外側に回転させる力を生じさせる。しかし、第４支点Ｓ４が、第３支点Ｓ３と係止点ＰＳとを結ぶ直線より後方に位置しているため、揺動部３２を水平方向の外側に回転しようとすると、一旦、角度θ２を大きくして、係止点ＰＳを下把持部２４に押圧することになる。すなわち、係止点ＰＳは、揺動部３２の回転範囲の水平方向の前端を定めるストッパーとして機能する。これによって、クリップ１０は、把持力点ＰＥが下把持部２４に対する十分な把持力を発揮する状態で、ウエブＷを把持できる。
【００２８】
このように、ウエブＷは、その張力Ｆによって揺動部３２を水平方向の外側に回転させることはできない。しかし、操作レバー３４は、回転部１４を回転させる方向に直接力を作用させるので、第１支点Ｓ１、第２支点Ｓ２及び把持力点ＰＥが直線上に並ぶように、角度θ２を一旦大きくして、上把持部１６及び下把持部２４から離間させることができる。
【００２９】
また、上把持部１６と下把持部２４が把持状態にあるときには、筒体５０が図２に示すように、第４軸部４６が第５軸部５４よりも下方に位置しているため、圧縮バネ５２の付勢力によって、その把持状態を維持できる。
【００３０】
一方、上把持部１６と下把持部２４の離間状態にあるときは、図３に示すように、筒体５０の第４軸部４６が第５軸部５４よりも上方に位置しているため、圧縮バネ５２の付勢力によって、その離間状態を維持できる。
【００３１】
上記したようにクリップ１０の上把持部１６が、ウエブＷを把持する場合には、把持力点ＰＥがほぼ垂直に下方に移動してウエブＷを把持する。そのため、ウエブＷの両耳部が図３のように内側にカールしていても、このカールした部分に、上把持部１６が接触すること無く、確実にウエブＷを把持できる。
【００３２】
（４）クリップ１０の取り付け構造
次に、クリップ１０の取り付け構造について図８と図９に基づいて説明する。
【００３３】
クリップ１０のクリップ本体１２は、断面コ字状の支持台６０に固定されている。断面コ字状の支持台６０内部には、テンターチェーン１０６が取り付けられている。支持台６０の下部からは、垂直な回転軸を有する車輪６２が回転自在に設けられている。支持台６０の上部からは、内側水平方向に向かってＬ字状の延設部６４が延設されている。この延設部６４の端部には、回転軸が水平の車輪６６が設けられている。延設部６４の下部には、回転軸が垂直の車輪６８が設けられている。
【００３４】
クリップ１０を支持する支持台６０に取り付けられているテンターチェーン１０６は、他動ホイール１０２の外周面に係合しながら駆動する。また、支持台６０の下部にある車輪６２は、他動ホイール１０２の外周面下部に当接しつつ回転し、支持台６０を支持する。また、延設部６４の端部に設けられた車輪６６は、他動ホイール１０２の上面縁部に当接して回転する。この車輪６２、車輪６６によって支持台６０が他動ホイール１０２の周りを安定して回転できる。車輪６８は、不図示のガイド片に沿って移動する。
【００３５】
搬出口近傍にある駆動ホイール１０４についても、他動ホイール１０２と同様に支持台６０の車輪６２、車輪６６及びテンターチェーン１０６が係合して移動する。
【００３６】
（５）操作装置１１２
次に、クリップ１０の操作レバー３４を操作する操作装置１１２について図７〜図１１に基づいて説明する。
【００３７】
図７と図８に示すように、操作装置１１２は、搬入口側にある左右一対の他動ホイール１０２よりやや後方に取り付けられている。
【００３８】
操作装置１１２は、他動ホイール１０２を他動で回転させるための固定軸に固定された支持板１１６の下方に設けられた内側案内板１１８と外側案内板１２０とより構成されている。内側案内板１１８と外側案内板１２０は、ウエブＷの搬送方向である前後方向に沿って水平に取り付けられ、内側案内板１１８と外側案内板１２０との間には案内路１２２が形成されている。外側案内板１２０は、内側案内板１１８よりもやや高い位置に固定されている。案内路１２２の左右方向の幅は、操作レバー３４の幅方向のサイズよりも若干大きく形成されている。
【００３９】
図１１に示す符号Ａ、Ｂ、Ｃは、図１０の操作レバー３４の傾斜角Ａ，Ｂ，Ｃと対応して同じ符号を用いている。すなわち、区間Ａでは操作レバー３４は最も傾斜した角度Ａで傾斜した状態であり、外側案内板１２０の前部の区間Ｂではその傾斜状態から直立状態に回転している角度であり、後部の区間Ｃにおいては操作レバー３４は図１０の実線で示した直立状態の角度Ｃとなる。
【００４０】
図９〜図１０に示すように、案内路１２の内側壁（内側案内板１１８の外側面）は、操作レバー３４が走行しながら傾斜状態から直立状態に回転する軌跡に合わせて傾斜し、案内路１２２の外側壁（外側案内板１２０の内側壁）も、操作レバー３４が走行しながら傾斜状態から直立状態に回転する軌跡に合わせて傾斜している。すなわち、内側案内板１１８の外側面の前部の区間Ｂはγ°傾斜し、後部の区間Ｃは垂直に形成されている。また、外側案内板１２０の前部の区間ａと中央部の区間ｂの内側面はφ°傾斜し、後部ｃの内側面は垂直に形成されている。このγ°は、操作レバー３４が外方への傾斜角度と一致し、φ°は、γ°＜φ°＜９０°に設定されている。
【００４１】
図１１に示すように、案内路１２２の平面形状は、操作レバー３４が前後方向に走行しながら傾斜状態から直立状態に移動する軌跡に合わせて形成されている。すなわち、内側案内板１１８の平面形状は、前部外側の区間Ｂが前後方向に対しα°傾斜し、後部外側の区間Ｃは前後方向と平行に形成されている。また、外側案内板１２０の前部内側の区間ａは前後方向と平行に形成され、中央部内側の区間ｂは前後方向に対しβ°傾斜し、後部内側の区間ｃは前後方向と平行に形成されている。案内路１２２の平面形状をさらに詳しく説明すると、図１１に示すように外側案内板１２０は内側案内板１１８よりも短く形成されている。これは、操作レバー３４が最初に接触する部分は、内側案内板１１８の内側壁１２４だからである。そして、外側案内板１２０の前部の区間ａは、内側案内板１１８の前部の区間Ｂの途中まで形成され、内側案内板１１８の内側壁１２４の前部の区間Ｂの途中から傾斜している。この傾斜区間ｂが中央部となる。そして、この外側案内板１２０の中央部の区間ｂは、内側案内板１１８の後部の区間Ｃの手前で前後方向と平行になり後部の区間ｃが形成されている。これにより案内路１２２は、内側案内板１１８の前部の区間Ｂと外側案内板１２０の前部の区間ａにおいては、案内路１２２の内側のみが傾斜し、その後に内側案内板１１８の前部の区間Ｂと外側案内板１２０の中央部の区間ｂとの間の案内路１２２は、内外両側とも次第に傾斜して狭くなり、最後に内側案内板１１８の後部の区間Ｃと外側案内板１２０の後部の区間ｃとの間で平行に案内路１２２が形成される。
【００４２】
（６）操作装置１１２の動作状態
次に、操作装置１１２を用いて操作レバー３４が操作される状態について図９〜図１１に基づいて説明する。
【００４３】
まず、クリップ１０がウエブＷを把持していない離間状態では、上把持部１６が下把持部２４から離れて操作レバー３４は第１軸部３０を中心に、搬送路の内側に向かって傾斜している。この操作レバー３４が傾斜した状態で、他動ホイール１０２に沿って回転し、前後方向に移動する。
【００４４】
次に、傾斜した操作レバー３４は、クリップ１０の前後方向への移動と共に、内側案内板１１８と外側案内板１２０との間に形成された案内路１２２に進入する。このとき、内側案内板１１８の外側面はγ°傾斜し、この傾斜角は図９に示すように操作レバー３４の傾斜角に一致している。そのため、操作レバー３４はこの内側案内板１１８の外側面に沿ってクリップ１０と共に移動する。このとき、内側案内板１１８の前部は傾斜角α°で外側に向かって傾斜しているため、案内路１２２の内側壁（内側案内板１１８の外側面）によって操作レバー３４が次第に外側に押圧され、第１軸部３０を中心に回転して上把持部１６が次第に把持状態になる。しかし、操作レバー３４が、コイル状の圧縮バネ５２の付勢力によって完全な把持状態になろうとしても、案内路１２２の外側壁（外側案内板１２０の内側面）によって操作レバー３４の回転が阻止され、ゆっくりとしか操作レバー３４は回転しない。このような状態が図１１において案内路１２２の傾斜した内側壁の区間Ａから区間Ｂまで行われる。そして、操作レバー３４が区間Ｂを通過すると図１０に示すように、操作レバー３４が案内路１２２の外側壁（外側案内板１２０の内側面）に沿って直立し、上把持部１６と下把持部２４によってウエブＷが把持される。しかし、この上把持部１６と下把持部２４によってウエブＷが把持されるまでは操作レバー３４がゆっくりと回転するため、従来のように圧縮バネ５２の付勢力によってウエブＷがいきなり把持されることがないため、ウエブＷに傷が付いたり破れたりしない。
【００４５】
（７）効果
本実施形態によれば、内側案内板１１８と外側案内板１２０の間に形成された案内路１２２に沿って操作レバー３４がクリップ１０の走行と共に回転するため、上把持部１６と下把持部２４によってウエブＷがいきなり把持されることがなく、ウエブＷに傷が付いたり破れたりしない。
【００４６】
操作レバー３４が回転する時間、すなわち把持しようとする力は内側案内板１１８の傾斜した前部の区間Ｂの距離によって調整でき、この区間Ｂの距離が長いほど操作レバー３４がゆっくり回転し、距離が短ければ素早く回転する。
【００４７】
また、内側案内板１１８の前部の内側面と、外側案内板１２０の前部と中央部の外側面の傾斜角が、操作レバー３４の傾斜角に一致しているため、操作レバー３４がスムーズに回転できる。
【００４８】
また、案内路１２２の左右方向の幅が、操作レバー３４の左右方向の幅よりも若干大きいだけであるため、操作レバー３４が必要以上に回転せず、ウエブＷをいきなり把持したりしない。
【００４９】
また、外側案内板１２０が内側案内板１１８よりも高い位置に固定されているため、回転する操作レバー３４の上端部を外側案内板１２０の側面で確実に保持できる。
【００５０】
（８）変更例
上記実施形態では、内側案内板１１８において、前部、すなわち搬入口側にのみ傾斜部分である前部の区間Ｂを設けたが、これに加えて搬出口側にも図１２に示すように傾斜の区間Ｄを設けてもよい。この場合には、テンター装置１００のテンターチェーン１０６を逆回転させ、搬出口側から搬入口側へクリップ１０が移動するときに、把持しない状態から把持状態に一旦移動させ、その後再び把持しない状態に変化させることができる。このようにテンターチェーン１０６を逆回転させる場合としては、例えば何らかの事情によりクリップ１０からウエブＷが外れたりする場合である。
【００５１】
また、クリップ１０の構造については、操作レバー３４によって開閉する構造を有するものであれば、上記実施形態の構造に限らず、特許文献１，２に記載されたクリップのような他の構造であってもよい。
【００５２】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５３】
１０・・・クリップ、１６・・・上把持部、２４・・・下把持部、３４・・・操作レバー、１００・・・テンター装置、１０２・・・他動ホイール、１０４・・・駆動ホイール、１０６・・・テンターチェーン、１０８・・・テンターレール、１１２・・・操作装置、１１６・・・支持板、１１８・・・内側案内板、１２０・・・外側案内板、１２２・・・案内路
【図１】
2015147370.tif 000003
【図２】
2015147370.tif 000004
【図３】
2015147370.tif 000005
【図４】
2015147370.tif 000006
【図５】
2015147370.tif 000007
【図６】
2015147370.tif 000008
【図７】
2015147370.tif 000009
【図８】
2015147370.tif 000010
【図９】
2015147370.tif 000011
【図１０】
2015147370.tif 000012
【図１１】
2015147370.tif 000013
【図１２】
2015147370.tif 000014